(57)【要約】【課題】【解決手段】スポーツ靴のようなある種のスタッド付き履物は、スタッド６を靴ソール１に対し特定的に方位決めすることを必要とする。スタッド６は、レセプタクル５内にて特定的に方位決めすることができ、このため、レセプタクルは靴１のソールに対し方位決めする必要がある。このため、レセプタクル５及び外側靴ソール２に協働する方位決め手段１３を備え、多層靴ソール１内にて靴スタッド６に対し特定的に方位決めしたレセプタクル５を方位決めする手段が提供され、該協働する方位決め手段は、少なくとも内側靴ソール３が外側靴ソール２に対し固定される迄、レセプタクル５を外側靴ソール２に対し正確な方位に物理的に保持する作用可能である。このように、協働する方位決め手段は、少なくとも内側靴ソール３を取り付けることにより、靴ソールが完成される迄、特定的に方位決めしたレセプタクル５が靴ソール１に対し正確な方位に物理的に保持されることを保証する機能を果たす。
2006514868.tif 000002
【特許請求の範囲】
【請求項１】
多層の靴ソール（１）内の、靴スタッド（６）のための特定的に方位決めされるべきレセプタクルを方位決めする手段において、レセプタクル（５）と外側靴ソール（２）とにおいて協働する方位決め手段（１３）を備え、該協働する方位決め手段（１３）は、少なくとも内側靴ソール（３）が外側靴ソール（２）に固定される迄、レセプタクル（５）を外側靴ソール（２）に対し正確な方位に物理的に保持するよう作用可能であることを特徴とする、方位決めする手段。
【請求項２】
請求項１に記載の手段において、方位決め手段（１３）は、レセプタクル（５）に固定される追加的な部分であって外側靴ソール（２）における形態物と協働する追加的な部分を備えることを特徴とする、手段。
【請求項３】
請求項２に記載の手段において、追加的な部分は、レセプタクル（５）の周縁の少なくとも一部から突き出すフランジ（２１）を備えることを特徴とする、手段。
【請求項４】
請求項３に記載の手段において、フランジ（２１）は、非回転対称の形状のものであることを特徴とする、手段。
【請求項５】
請求項２ないし４の何れか１つの項に記載の手段において、外側靴ソール（２）における協働する形態物は、追加的な部分に相応する凹所（１５）を備えることを特徴とする手段。
【請求項６】
請求項５に記載の手段において、凹所（１５）は、連続的な突出壁（１７）により画成されることを特徴とする、手段。
【請求項７】
請求項５に記載の手段において、凹所（１５）は、互いに隔てられた突起により画成されることを特徴とする、手段。
【請求項８】
請求項３に記載の手段において、フランジ（２１）は回転対称の形状のものであるが、非回転対称性を与えるよう配置された１つ又は複数の開口（２２）を有することを特徴とする、手段。
【請求項９】
請求項８に記載の手段において、外側靴ソール（２）には、開口と相応し且つ開口（２２）により受け入れられて必要な方位を提供する突起（２５）が設けられることを特徴とする、手段。
【請求項１０】
請求項４に記載の手段において、フランジには１つ又は複数の開口（２２）が設けられ、外側靴ソール（２）にはこれに相応する突起（２５）が設けられることを特徴とする、手段。
【請求項１１】
請求項３ないし１０の何れかに記載の手段において、フランジ（２１）には一体的にレセプタクル部（５）が設けられることを特徴とする、手段。
【請求項１２】
請求項３ないし１０の何れか１つの項に記載の手段において、フランジ（２１）は、別個の工程にてレセプタクル（５）の上方に成形されることを特徴とする、手段。
【発明の詳細な説明】
【技術分野】
【０００１】
本発明は、例えば、フットボール用ブーツ及びゴルフ靴といった、スポーツ靴のようなスタッド付き履物に関する。「フットボール」という語は、サッカー、ラグビー、アメリカンフットボール及びオーストラリアンフットボールのようなフットボールとして知られたあらゆるスポーツを包含する。
【背景技術】
【０００２】
スタッドは、そのスポーツに適した型式の地面係合部を有しており、牽引力を提供することを目的とする。このため、フットボール用のスタッドは、比較的鋭い地面穿刺スパイクを有する傾向である一方、ゴルフ靴用のスタッドは、現在、比較的柔軟で且つ鋭くない地面係合スパイクを有している。スタッドは、スタッドにおける、ネジ付き差込み部により履物製品のソール（底）に取り外し可能に締結され、該スタッドは、靴ソールに成形され又はさもなければ、靴ソールに固定されたレセプタクル内の相応するネジ付きソケット内に係合する。
【発明の開示】
【発明が解決しようとする課題】
【０００３】
ネジ式接続部は、大きい力が加わったときでさえスタッドが所要位置に止まること、特に、スタッドが偶発的なネジの緩みにより抜けないことを保証する設計でなければならない。既知のスタッドは、一条ネジ又は多条ネジの何れかを有している。一条ネジは、最も簡単なネジの形態であり、多条ネジよりもネジ抜けに対し大きい抵抗力を与える。一条ネジは、差込み部及びソケットにおけるネジの何周回分かにわたって強力な接続部を提供もする。しかし、スタッドを取り付け且つ、取り外すのに必要とされる回転数が多いため、スタッドの取り外し及び交換は時間を消費する作業となる。多条ネジは、より急峻なヘリックス角度を有しており、このことは、任意の所定の長さの差込み部をより少ない回転数にてソケット内に挿入することを可能にする。また、多条ネジは、一条ネジよりも深く切り込むため、ネジ部のせん断強度は、より大きくなり、このため、より短い差込み部を使用することができる。
【０００４】
一条ネジ又は多条ネジのいずれが使用されるかを問わず、スタッド及びソケットは、スタッドの偶発的なネジ緩み抜けを防止するため、係止ラチェットを内蔵している。典型的には、スタッド及びソケットの各々は、スタッドがソケット内に挿入されたとき、互いに係合する１組の歯を有している。この歯の配置は、スタッドが完全に挿入されたとき、スタッドがソケットに対する多数の相対位置のうちの任意のものにあることを許容する。
【０００５】
上述したようなネジ部及び係止ラチェットは、ソールに対するスタッドの回転方位というものが重要でないとき、全く問題はない。実際、現在の殆どのスタッドは、円形か、又はさもなければ回転対称形であり、ソールに対するスタッドの最終方位は問題にならない。
【０００６】
しかし、スタッドに加わる力が相対的に大きく且つ特殊なものである場合、すなわち、横方向の力であるとか、靴を履く人の素早い前方への加速動作に起因する力であるような幾つかのスポーツにおいては、特定的に方位決めされるべきスタッドが、より効果的となる。（「特定的に方位決めされるべきスタッド」という語は、非回転対称形のスタッドおよび回転対称形のスタッドの双方を含めて用いられるが、靴ソールに対するそれらスタッドの方位が重要であるものに対して使用する。）特定的に方位決めされるべきスタッドは、スタッドが望ましい仕方にて作用することを保証するため、靴ソールに対して極めて精密に方位決めされていなければならない。既知のネジ部及び係止ラチェットは、この精密な方位決めを実現することはできない。例えば、一条ネジは、スタッドをその挿入開始時に方位決めするが、多数の周回部及び上述したような係止ラチェットは、スタッドの最終位置を予測することを不可能にする。また多条ネジは、当然、複数の開始位置を提供し、また、係止ラチェットは、複数の最終位置を提供する。
【０００７】
当該発明者達の従前のデザインは、スタッドをそのソケット及びレセプタクルに対し精密に方位決めすることを保証しようとするものであった。本発明は、特定的に方位決めされるべきレセプタクルを靴ソールに対し精密に方位決めすることを可能にすることを目的とする。「特定的に方位決めされるべきレセプタクル」という語は、特定的に方位決めされるべきスタッドのためのレセプタクルを意味するために使用する。
【課題を解決するための手段】
【０００８】
本発明によれば、多層の靴ソール内の、靴スタッドのための特定的に方位決めされるべきレセプタクルを方位決めする手段は、レセプタクルと外側靴ソールとにおいて協働する方位決め手段を備え、該方位決め手段は、少なくとも内側靴ソールが外側靴ソールに固定される迄、レセプタクルを外側靴ソールに対し正確な方位に物理的に保持するよう作用可能である。
【０００９】
このように、協働する方位決め手段は、少なくとも内側靴ソールを取り付けることにより靴ソールが完成される迄、特定的に方位決めされるべきレセプタクルが靴ソールに対し正確な方位に物理的に保持されることを保証する働きをする。
【００１０】
方位決め手段は、レセプタクルに固定され、外側靴ソールにおける形態物と協働する追加的な部分を備えることが好ましい。
該追加的な部分は、レセプタクルの周縁の少なくとも一部から突き出すフランジを備えることができる。該フランジは、非回転対称の形状のものとすることができる。この場合、外側靴ソールにおける協働する形態物は、相応する凹所を備えることができる。該凹所は、連続的な突出壁又は隔たった突起により画成することができる。
【００１１】
これと代替的に、フランジは回転対称の形状のものであるが、非回転対称性を与えるよう配置された１つ又は複数の開口を有するようにしてもよい。この場合、外側靴ソールには、開口と相応し且つ開口により受け入れられて必要な方位を提供する突起が設けられる。非対称の形状のフランジには１つ又は複数の開口を設け、また、外側靴ソールにはこれに相応する突起を設けることができる。その何れの場合でも、開口及び突起は、完成した靴ソール内にレセプタクルを保持するのを助ける。
【００１２】
フランジは、例えば、射出成形法によりレセプタクルと一体に形成することができる。これと代替的に、フランジは、別個の工程にてレセプタクルの上方に成形してもよい。
本発明の色々な実施の形態は、単に一例として添付図面に示されている。
【発明を実施するための最良の形態】
【００１３】
図１には、ゴルフ靴（詳細には図示せず）のようなスタッド付きスポーツ靴用の多層靴ソール１が示されている。該靴ソール１は、内側ソール３が固定されるところの外側ソール２を有している。該外側ソール２は開口４（その１つのみを図示）を有している。開口４の各々は、靴スタッド６がその内部に取り外し可能に締結されるところのレセプタクル５を受け入れる。該レセプタクル５は、内側ソール３が、例えば成形により外側靴ソールに固定される前に、該外側靴ソール２内に配置される。内側ソール３を固定することはまた、レセプタクル５を所要位置に保持する作用も果たす。レセプタクル５は、以下により詳細に説明するように、外側ソール２に対し精密に方位決めされる。
【００１４】
スタッド６の各々は、レセプタクル５の相応するネジ付きソケット８内に係合するスタッドにおけるネジ付き差込み部７によって、レセプタクル５に締結されている。差込み部７及びソケット８は、三条ネジを有しており、該三条ネジはスタッド６を半回転させることにより、スタッド６を取り付けることを可能にする。スタッド６における雄ネジ部９の１つは、その他の２つのネジ部と比較して半径方向に拡大されており、ソケット８は相応する形状とした雌ネジ部１０を有している。このことは、レセプタクル５に対するスタッド６の開始位置を決定するために、差込み部７が、とり得る３つの位置のうちの１つの位置のみにてソケット８と係合し始めることを確実にする。レセプタクル５及びスタッド６はまた、ソケット８の半径方向外面に形成された、リング状配置の歯１１の形態をした係止手段と、差込み部７と同心状に形成され且つ該差込み部７から隔てられた、リンク状配置の弾性的なポスト１２とを有することができる。差込み部７がソケット８内にネジ込まれると、歯１１はポスト１２と係合し、該ポストは、半径方向外方に向けて弾性的に撓み、歯１１が通過するのを許容する。差込み部７がソケット８内に完全に挿入されたとき、歯１１がポスト１２の間にて係合することにより、差込み部７はレセプタクル５に対し係止される。このことは、レセプタクル５に対するスタッド６の最終位置が精密に決定されることも保証する。
【００１５】
スタッド６が特定的に方位決めされるべきスタッドであるならば、レセプタクル５に対するスタッド６のこの精密な方位決めは、必須のことである。本発明に従い、レセプタクル５は、外側ソール２に対する位置も精密に決定される、特定的に方位決めされるべきレセプタクルである。
【００１６】
特に、図２及び図３に示すように、レセプタクル５及び外側ソール２は、外側ソール２に対するレセプタクル５の精密な方位決めを保証するため協働する方位決め手段１３を有している。このように、レセプタクル５は、非回転対称形の周縁外形部１４を有する一方、外側ソール２はこれに相応する形状の凹所１５を有している。外側ソール２は、ゴム又は同様の材料にて成形される。
【００１７】
図２に示した外側ソール２の部分は、開口４を有しており、該開口４の周りには相対的に厚い補強部分１６が形成されている。補強部分１６の上面は、実質的に平坦であるが、連続的な周縁張出し部１７が形成されており、丸味を付けた隅部を有する実質的に西洋凧の形状の凹所１５を画成する。開口４は、西洋凧形状の上端に向けて配置される。
【００１８】
図３及び図４のレセプタクル５は、凹所１５に嵌まり得る設計とされている。レセプタクル５は２つの部分から出来ている。第一の部分１８は、垂下する中央ボス２０を有する円形の頂部板１９を備えるプラスチック材料の単一の成形品である。環状フランジ２１は、ボス２０を越えて半径方向外方に突き出す頂部板１９の一部分により形成される。フランジ２１は開口２２を有している。ボス２０はその半径方向内面にネジ付きソケット８が形成された円筒壁を有している。ボス２０の半径方向外面には歯１１が形成されている。
【００１９】
レセプタクル５の第二の部分２３は、また、プラスチック材料で出来ており且つ、第一の部分１８上にオーバモールドされている。第二の部分２３は、フランジ２１及び開口２２の周りに成形された板２４から成っている。該板２４は、凹所１５に相応する丸味を付けた隅部を有する実質的に西洋凧形状のものである。このため、レセプタクル５が外側ソール２に配置されたとき、ボス２０は開口４内に受け入れられ、板２４は凹所１５内に受け入れられることが理解されよう。板２４及び凹所１５は非回転対称の外形を有するため、レセプタクル５は、外側ソール２における１つの位置にのみ配置することができる。
【００２０】
外側ソール２及びレセプタクル５は別個に製造される。ソール１を完成するため、外側ソール２の上面は接着剤にて被覆し、レセプタクル５は凹所１５内に配置される。接着剤は、内側ソール３が成形又は任意の適宜な方法にて固定される間、レセプタクル５を保持する作用を果たす。
【００２１】
図５には、外側ソール２における方位決め手段が幾つかの隔たった直立ペグ（合い釘のごとき突起）２５を備え、レセプタクル５は配置のため該ペグと係合する、１つの形態変更例が示されている。ペグ２５の配置は、レセプタクル５を１つの位置にのみ受け入れることができるようなものである。
【００２２】
図６には、レセプタクル５が異なる形状をしており、また、ボス２０から隔てられた開口２６を有する、別の形態変更例が示されている。外側ソール２は、レセプタクル５を外側ソール２内に配置し得るよう開口２６内に受け入れられた相応する直立ピラー２７を有している。この配置の場合、レセプタクル５は非回転対称の外形である必要はない。
【００２３】
更なる形態変更例（図示せず）において、レセプタクル５は２つの部分から形成されるのではなくて、単一の構造体であるものとしてもよい。２部分から成る構造の有利な点は、任意の標準的なレセプタクルを特定的な方位決めのためオーバモールドすることが可能な点である。
【図面の簡単な説明】
【００２４】
【図１】レセプタクル及び靴スタッドを有する靴ソールの断面図である。
【図２】図１に示した外側靴ソールの一部分の平面図である。
【図３】図１に示したレセプタクルの平面図である。
【図４】図３の線４−４に沿った断面図である。
【図５】１つの形態変更例を示す、図２と同様の図である。
【図６】更なる形態変更例を示す図である。
【図１】
2006514868.tif 000003
【図２】
2006514868.tif 000004
【図３】
2006514868.tif 000005
【図４】
2006514868.tif 000006
【図５】
2006514868.tif 000007
【図６】
2006514868.tif 000008
【国際調査報告】
2006514868.tif 000009
2006514868.tif 000010
2006514868.tif 000011